(57)【要約】      （修正有）【課題】簡単な操作でトートバッグとして利用でき、使用目的等に応じて一つのバッグを使い分けでき、連結帯先端の係止具を係止リングに係止するだけで、トートバッグとして利用する際にバッグ基体の上部開口部分の幅が広がらないようになり、取扱い易く、使い勝手に優れ、構成が簡素で、量産に適し、経済的なボストンバッグを提供する。【解決手段】バッグ基体Ａと、バッグ基体Ａの上部開口周縁に連結部及び両開きファスナー６を介して連設した天蓋体Ｂとを備え、バッグ基体Ａに持ち手Ｃを夫々固定し、バッグ基体Ａにショルダーベルトの取付部を設け、両開きファスナー６を全開にして天蓋体Ｂをバッグ基体Ａ内がわに揺動させることでトートバッグとして利用できるように構成し、天蓋体Ｂに係止リング１１を設け、正面構成部１に連結帯の基端部分を固定し、連結帯先端の係止具を係止リング１１に係脱自在に係止できるよう構成する。【選択図】図１
0003145204.tif 000002
【実用新案登録請求の範囲】
【請求項１】
上部が開口されているバッグ基体と、このバッグ基体の上部開口周縁に連結部及び両開きファスナーを介して連設されて、バッグ基体を施蓋可能な天蓋体とを備え、バッグ基体の正面構成部と背面構成部の上縁近傍に持ち手を夫々固定し、バッグ基体の左右側面構成部には、ショルダーベルトの取付部を設けたボストンバッグであって、両開きファスナーを全開にして天蓋体をバッグ基体内がわに揺動させることによりトートバッグとして利用できるように構成し、天蓋体の背面構成部近傍に係止リングを設けると共に、正面構成部に連結帯の基端部分を固定し、連結帯先端に設けた係止具を係止リングに係脱自在に係止できるように構成したことを特徴とするボストンバッグ。
【請求項２】
前記ショルダーベルトの取付部は、左右側面構成部夫々の上部に固定される第一係止リングと、左右側面構成部夫々の下部にその基端部分が固定される延長用ベルト片と、左右側面構成部夫々の中央部に固定される折返し用リングと、この折返し用リングを利用して折り返された延長用ベルト片の先端裏面がわに固定される第二係止リングとを備え、ショルダーベルト両端に設けた係止具を第一係止リングと第二係止リングとに選択的に係止できるように構成したことを特徴とする請求項１記載のボストンバッグ。
【請求項３】
前記天蓋体に適宜切込開口部を設けると共に、この切込開口部に開口用サブファスナーを設けて、切込開口部が開閉自在となるように構成したことを特徴とする請求項１または請求項２記載のボストンバッグ。
【考案の詳細な説明】
【技術分野】
【０００１】
本考案は、簡単な操作によりトートバックとしても利用可能で、その際に上部開口部分の幅が広がらないようにすることも可能で、ショルダーベルトをより有効的に利用することもでき、バッグ基体の上部開口部分を施蓋した場合でも、物の出し入れが簡単に行え、外観上の体裁が良く、取扱い易く、使い勝手の優れたものとなるように工夫したボストンバッグに関するものである。
【背景技術】
【０００２】
従来のボストンバッグにあっては、種々のものが提供されており、例えば、特許文献１に示すようなボストンバッグが提案されている。これは、底部と前部と背部と左・右側部から形成され、内部に物品の収容部と外部所定の位置に一対の手提帯を付けたボストンバッグにおいて、上記物品の収納部の上部開口部所定の位置に係着部材を設けると共に、当該係着部材には、一対の手提帯を付けた袋体収納部材を着脱自在に備えたものである。
【特許文献１】実開平６−３４５１３号公報
【考案の開示】
【考案が解決しようとする課題】
【０００３】
ところが、前述の如きボストンバッグにあっては、ボストンバック内部にトートバッグ状の袋体収納部材を収納しておけるようにすることで、これを取出して使用できるようにしたものではあるが、ボストンバック自体がトートバッグとして利用できるように形成されたものではない。
そこで、本願考案者は、その使用目的等に応じて一つのボストンバッグを簡単な操作によりトートバックとしても利用できるようにし、しかも、トートバッグとして利用する際に上部開口部分の幅が広がらないようにすることもでき、また、ショルダーベルトをより有効的に利用することもでき、更に、ボストンバッグとして利用する際にバッグ基体の上部開口部分を施蓋した場合でも、物の出し入れが簡単に行えるようにし、加えて、外観上の体裁が良く、取扱い易く、使い勝手に優れ、構成が簡素で、量産に適し、経済的なボストンバッグを提供できるようにすべく案出したものである。
【課題を解決するための手段】
【０００４】
しかして、前述の如き課題を達成すべく、請求項１記載のボストンバッグにあっては、上部が開口されているバッグ基体Ａと、このバッグ基体Ａの上部開口周縁に連結部及び両開きファスナー６を介して連設されて、バッグ基体Ａを施蓋可能な天蓋体Ｂとを備え、バッグ基体Ａの正面構成部１と背面構成部２の上縁近傍に持ち手Ｃを夫々固定し、バッグ基体Ａの左右側面構成部３、４には、ショルダーベルトＤの取付部を設けたボストンバッグであって、両開きファスナー６を全開にして天蓋体Ｂをバッグ基体Ａ内がわに揺動させることによりトートバッグとして利用できるように構成し、天蓋体Ｂの背面構成部２近傍に係止リング１１を設けると共に、正面構成部１に連結帯１２の基端部分を固定し、連結帯１２先端に設けた係止具を係止リング１１に係脱自在に係止できるように構成する手段を採用した。
【０００５】
また、請求項２記載のボストンバッグにあっては、前記ショルダーベルトＤの取付部は、左右側面構成部３、４夫々の上部に固定される第一係止リング１５と、左右側面構成部３、４夫々の下部にその基端部分が固定される延長用ベルト片１６と、左右側面構成部３、４夫々の中央部に固定される折返し用リング１７と、この折返し用リング１７を利用して折り返された延長用ベルト片１６の先端裏面がわに固定される第二係止リング１８とを備え、ショルダーベルトＤ両端に設けた係止具を第一係止リング１５と第二係止リング１８とに選択的に係止できるように構成するように装着する手段を採用した。
【０００６】
更に、請求項３記載のボストンバッグにあっては、前記天蓋体Ｂに適宜切込開口部を設けると共に、この切込開口部に開口用サブファスナー１０を設けて、切込開口部が開閉自在となるように構成する手段を採用した。
【考案の効果】
【０００７】
従って、請求項１記載のボストンバッグによれば、両開きファスナー６を全開にして天蓋体Ｂをバッグ基体Ａ内がわに揺動させるだけの簡単な操作によってトートバッグとして利用できるようになり、その使用目的等に応じて一つのバッグを使い分けることができるようになる。
しかも、取扱い易く、使い勝手に優れ、構成が簡素で、量産に適し、経済的なボストンバッグとなる。
【０００８】
特に、天蓋体Ｂの背面構成部２近傍に係止リング１１を設けると共に、正面構成部１に連結帯１２の基端部分を固定し、連結帯１２先端に設けた係止具を係止リング１１に係脱自在に係止できるように構成したので、連結帯１２先端の係止具を係止リング１１に係止するだけで、トートバッグとして利用する際にバッグ基体Ａの上部開口部分の幅が広がらないようになる。
【０００９】
また、請求項２記載のボストンバッグによれば、ショルダーベルトＤ両端に設けた係止具を、第一係止リング１５と第二係止リング１８とに選択的に係止でき、第一係止リング１５に係止した場合は、少し短めのショルダーとして使用でき、第二係止リング１８に係止した場合は、斜め掛けが可能となるようなショルダーとして使用できるようになり、ショルダーベルトＤをより有効的に利用することができるようになる。
【００１０】
そして、左右側面構成部３、４夫々の下部にその基端部分が固定される延長用ベルト片１６は、左右側面構成部３、４夫々の中央部に固定される折返し用リング１７を利用して折り返すことができ、ある程度の長さを確保できるようになる。しかも、折返し用リング１７を利用して折り返された延長用ベルト片１６の先端裏面がわに第二係止リング１８を固定してあるので、通常は第二係止リング１８が延長用ベルト片１６の裏面がわに隠れるようになり、外観上の体裁が良くなる。
【００１１】
更に、請求項３記載のボストンバッグによれば、開口用サブファスナー１０を利用して、切込開口部を簡単に開閉できるようになり、ボストンバッグとして利用する際にバッグ基体Ａの上部開口部分を天蓋体Ｂで施蓋した場合でも、物の出し入れが簡単に行えるようになる。
【考案を実施するための最良の形態】
【００１２】
以下、本考案を図示例に基づいて説明すると、次の通りである。
本考案は、トートバッグとしても利用できるように構成したボストンバッグに係るものである。
具体的には、上部が開口されているバッグ基体Ａと、このバッグ基体Ａの上部開口周縁に連結部及び両開きファスナー６を介して連設されて、バッグ基体Ａを施蓋可能な天蓋体Ｂとを備え、バッグ基体Ａの正面構成部１と背面構成部２の上縁近傍に持ち手Ｃを夫々固定し、バッグ基体Ａの左右側面構成部３、４には、ショルダーベルトＤの取付部を設けたボストンバッグである。
そして、両開きファスナー６を全開にして天蓋体Ｂをバッグ基体Ａ内がわに揺動させることによりトートバッグとして利用できるように構成したものである。すなわち、簡単な操作によってトートバッグとして利用でき、その使用目的等に応じて一つのバッグを使い分けることができるように形成されたものである。
しかも、天蓋体Ｂの背面構成部２近傍に係止リング１１を設けると共に、正面構成部１に連結帯１２の基端部分を固定し、連結帯１２先端に設けた係止具を係止リング１１に係脱自在に係止できるように構成したものである。すなわち、連結帯１２先端の係止具を係止リング１１に係止するだけで、トートバッグとして利用する際にバッグ基体Ａの上部開口部分の幅が広がらないように形成されている。
【００１３】
加えて、前記ショルダーベルトＤの取付部は、左右側面構成部３、４夫々の上部に固定される第一係止リング１５と、左右側面構成部３、４夫々の下部にその基端部分が固定される延長用ベルト片１６と、左右側面構成部３、４夫々の中央部に固定される折返し用リング１７と、この折返し用リング１７を利用して折り返された延長用ベルト片１６の先端裏面がわに固定される第二係止リング１８とを備えたものとなっている。しかも、ショルダーベルトＤ両端に設けた係止具を第一係止リング１５と第二係止リング１８とに選択的に係止できるように構成されている。すなわち、ショルダーベルトＤ両端に設けた係止具を、第一係止リング１５に係止した場合は、少し短めのショルダーとして使用でき、第二係止リング１８に係止した場合は、斜め掛けが可能となるような長めのショルダーとして使用できるように構成されている。また、延長用ベルト片１６の先端裏面がわの第二係止リング１８は、延長用ベルト片１６が折返し用リング１７を利用して折り返されているときに、延長用ベルト片１６の裏面がわに隠れるようになり、外観上の体裁が良くなるように形成してある。
【００１４】
そして、前記天蓋体Ｂに適宜切込開口部を設けると共に、この切込開口部に開口用サブファスナー１０を設けて、切込開口部が開閉自在となるように構成されている。すなわち、ボストンバッグとして利用する際にバッグ基体Ａの上部開口部分を天蓋体Ｂで施蓋した場合でも、開口用サブファスナー１０を利用して、切込開口部を簡単に開閉できるようにして、物の出し入れが簡単に行えるように形成されている。
【実施例】
【００１５】
前記バッグ基体Ａは、例えば、適宜皮革（或いは、合成皮革や、合成樹脂材や、適宜織地等を利用しても良い）によって構成され、しかも、略矩形状の正面構成部１と、略矩形状の背面構成部２と、略矩形状の右側面構成部３と、略矩形状の左側面構成部４と、略矩形状の底面構成部５とで、上部が開口した略ボックス状に形成されている。
尚、前記バッグ基体Ａには、適宜寸法、形状のポケットを適宜位置に適数設けることもできる。
【００１６】
前記天蓋体Ｂは、例えば、適宜皮革（或いは、合成皮革や、合成樹脂材や、適宜織地等を利用しても良い）によって構成され、しかも、バッグ基体Ａの上部開口部を施蓋可能となるような略矩形状に形成されている。
また、天蓋体Ｂは、その背面がわ長辺部分が適宜連結部を介してバッグ基体Ａの背面構成部２の上端縁に折曲げ可能に連設され、更に、天蓋体Ｂの正面がわ長辺部分及び左右側面がわ短辺部分が、バッグ基体Ａの正面構成部１の上端縁及び左右側面構成部３、４の上端縁に両開きファスナー６を介して接続、分離可能となるように形成されており、両開きファスナー６の開閉操作によってバッグ基体Ａの上部開口部分が簡単に且つ大きく開閉できるように形成されている。
【００１７】
そして、前記両開きファスナー６のスライダー夫々には、引き手７が設けてあり、一方の引き手７と他方の引き手７には、適宜錠がかけられるように形成されている。
具体的には、一方の引き手７には、略Ｄ字状となるような突出枠部を形成し、他方の引き手７には、前記突出枠部が挿通可能となるような長孔を穿設し、突出枠部を長孔に挿通させた状態で錠を突出枠部にかけることによって、一対の引き手７相互が離れないように形成してある。すなわち、両開きファスナー６を開くことができなくなる。
【００１８】
前記開口用サブファスナー１０は、例えば、天蓋体Ｂに設けた略Ｌ字状の切込開口部の長い切込部分に設けてあり、切込開口部を簡単に且つ大きく開閉できるように構成されている。尚、切込開口部の短い切込部分の裏面には、例えば、三角状の適宜布地等が縫着してあり、短い切込部分から内部が視認できないようにすると共に、切込開口部を無理なく開くことができるように形成されている。
【００１９】
前記係止リング１１は、例えば、適宜金属製の略Ｄリング状に形成され、天蓋体Ｂの背面構成部２近傍部分に設けられている。
【００２０】
そして、前記連結帯１２は、例えば、その基端部分がバッグ基体Ａの正面構成部１の上端近傍に固定され、その先端にはナスカン等の係止具が固定されている。しかも、先端の係止具は、係止リング１１に係脱自在に係止できるように構成され、バッグ基体Ａ内に適宜物を多数入れても、その上部開口部分の幅が一定となって、それ以上広がらないように設けられたものである。ひいては、バッグ基体Ａの型崩れ等も防止できるように形成されている。
【００２１】
前記持ち手Ｃは、例えば、適宜皮革（或いは、合成皮革や、合成樹脂材や、適宜織地等を利用しても良い）によって形成されると共に握持し易く形成され、正面構成部１の上部左右と、背面構成部２の上部左右に配した適宜リングに固定されている。
【００２２】
前記ショルダーベルトＤは、例えば、適宜皮革（或いは、合成皮革や、合成樹脂材や、適宜織地等を利用しても良い）によって長さ調節自在な長尺帯状に形成され、その両端部分にはナスカン等の係止具が固定されている。
【００２３】
また、ショルダーベルトＤ両端の係止具が着脱自在に装着されると共に、バッグ基体Ａの左右側面構成部３、４に設けられる取付部は、例えば、第一係止リング１５と、延長用ベルト片１６と、折返し用リング１７と、第二係止リング１８とを備えている。
【００２４】
そして、前記第一係止リング１５は、例えば、適宜金属材によって形成され、バッグ基体Ａの左右側面構成部３、４夫々の外表面がわ上部に固定されている。しかも、この第一係止リング１５にショルダーベルトＤの係止具を係止したときは、少し短めのショルダーとして使用できるように形成されている。
【００２５】
前記延長用ベルト片１６は、例えば、適宜皮革（或いは、合成皮革や、合成樹脂材や、適宜織地等を利用しても良い）によって比較的短い帯状に形成され、その基端部分は、左右側面構成部３、４夫々の下部に固定されている。
【００２６】
前記折返し用リング１７は、例えば、適宜金属材によって円環状に形成される一対のリングによって構成され、バッグ基体Ａの左右側面構成部３、４夫々の外表面がわ中央部に固定されている。しかも、この折返し用リング１７は、延長用ベルト片１６を折り返せるように形成されている。
【００２７】
前記第二係止リング１８は、例えば、適宜金属材によって略Ｄ字環状に形成され、延長用ベルト片１６の先端裏面がわに固定されている。しかも、この第二係止リング１８は、延長用ベルト片１６を上方に伸ばすと共に、ショルダーベルトＤの係止具を係止したときは、斜め掛けが可能となるような長めのショルダーとして使用できるように形成されている。
【００２８】
ところで、ボストンバッグの具体的構成、形状、寸法、材質、トートバッグとしたときの具体的構成、形状、寸法、材質、バッグ基体Ａの具体的構成、形状、寸法、材質、正面構成部１の具体的構成、形状、寸法、材質、背面構成部２の具体的構成、形状、寸法、材質、左右側面構成部３、４の具体的構成、形状、寸法、材質、底面構成部５の具体的構成、形状、寸法、材質、両開きファスナー６の具体的構成、形状、寸法、材質、配設位置、引き手７の具体的構成、形状、寸法、材質、配設位置、天蓋体Ｂの具体的構成、形状、寸法、材質、開口用サブファスナー１０の具体的構成、形状、寸法、材質、配設位置、係止リング１１の具体的構成、形状、寸法、材質、配設位置、連結帯１２の具体的構成、形状、寸法、材質、配設位置、持ち手Ｃの具体的構成、形状、寸法、材質、配設位置、ショルダーベルトＤの具体的構成、形状、寸法、材質、第一係止リング１５の具体的構成、形状、寸法、材質、配設位置、延長用ベルト片１６の具体的構成、形状、寸法、材質、配設位置、折返し用リング１７の具体的構成、形状、寸法、材質、配設位置、第二係止リング１８の具体的構成、形状、寸法、材質、配設位置等は図示例のもの等に限定されることなく適宜自由に設定、変更できるものである。
【図面の簡単な説明】
【００２９】
【図１】本考案のボストンバッグを例示する斜視図である。
【図２】本考案をトートバッグの状態にしたときの斜視図である。
【図３】本考案をトートバッグの状態にしたときの一部省略縦断側面図である。
【図４】本考案のボストンバッグの使用例を示す正面図である。
【図５】本考案のボストンバッグにショルダーベルトを装着した状態を例示する部分斜視図である。
【図６】本考案のボストンバッグにショルダーベルトを装着した他の状態を例示する部分斜視図である。
【符号の説明】
【００３０】
Ａ    バッグ基体
１    正面構成部
２    背面構成部
３    側面構成部
４    側面構成部
５    底面構成部
６    両開きファスナー
７    引き手
Ｂ    天蓋体
１０  開口用サブファスナー
１１  係止リング
１２  連結帯
Ｃ    持ち手
Ｄ    ショルダーベルト
１５  第一係止リング
１６  延長用ベルト片
１７  折返し用リング
１８  第二係止リング
【図１】
0003145204.tif 000003
【図２】
0003145204.tif 000004
【図３】
0003145204.tif 000005
【図４】
0003145204.tif 000006
【図５】
0003145204.tif 000007
【図６】
0003145204.tif 000008